(57)【要約】【課題】一つの装置内の複数の録画再生機器に対するアナログ入出力を外部機器からの制御コマンドにより制御することができるデジタル制御記録再生装置を提供する。【解決手段】デジタル制御記録再生装置１は、アナログ入力インターフェース２１等からの入力をディスクレコーダープレイヤーサブユニット１１、１３の一方又は両方へ供給するように切り換える第１および第２スイッチ３１、３３と、この第１および第２スイッチをデジタルインターフェース２９からの制御コマンドにより切り換える入力制御部４１と、ディスクレコーダープレイヤーサブユニット１１、１３からの出力を第１又は第２アナログ出力インターフェース５１、５３のいずれかに切り換える第３スイッチ３５、出力系統第１スイッチ４５及び出力系統第２スイッチ４７と、これらスイッチをデジタルインターフェース２９からの制御コマンドにより切り換える出力入力制御部４１とを備える。【選択図】  図１
2004220681.tif 000002
【特許請求の範囲】
【請求項１】
外部からのアナログ信号を入力させる複数のアナログ入力手段と、
外部からのデジタル信号を入力させるデジタル入力手段と、
前記アナログ信号を外部へ出力する複数のアナログ出力手段と、
前記アナログ信号を記録再生する複数の記録再生手段と、
前記複数のアナログ入力手段のうちいずれか一つの前記アナログ入力手段と前記複数の記録再生手段のうち少なくとも一つの前記記録再生手段とを接続するように切り換える入力切換手段と、
前記デジタル入力手段から入力された前記デジタル信号による制御コマンドにしたがって前記入力切換手段を制御する入力制御手段と、
前記複数の記録再生手段のうちいずれか一つの前記記録再生手段と前記複数のアナログ出力手段のうち少なくとも一つの前記アナログ出力手段とを接続するように切り換える出力切換手段と、
前記デジタル入力手段から入力された前記デジタル信号による前記制御コマンドにしたがって前記出力切換手段を制御する出力制御手段と、
を有することを特徴とするデジタル制御記録再生装置。
【請求項２】
請求項１に記載のデジタル制御記録再生装置において、
前記デジタル入力手段はＩＥＥＥ１３９４規格に準拠したデジタルシリアルデータインタフェースであり、前記制御コマンドはＡＶ／Ｃデジタルインターフェースコマンドセットジェネラルスペシフィケーション４．１で規定されたコマンドであることを特徴とするデジタル制御記録再生装置。
【請求項３】
外部からのアナログ信号を入力させる複数のアナログ入力手段と、外部からのデジタル信号を入力させるデジタル入力手段と、前記アナログ信号を外部へ出力する複数のアナログ出力手段と、前記アナログ信号を記録再生する複数の記録再生手段と、前記複数のアナログ入力手段のうちいずれか一つの前記アナログ入力手段と前記複数の記録再生手段のうち少なくとも一つの前記記録再生手段とを接続するように切り換える入力切換手段と、前記複数の記録再生手段のうちいずれか一つの前記記録再生手段と前記複数のアナログ出力手段のうち少なくとも一つの前記アナログ出力手段とを接続するように切り換える出力切換手段とを備えたデジタル制御記録再生装置におけるデータ処理方法であって、前記複数のアナログ入力手段のうちいずれか一つのアナログ入力手段と前記複数の記録再生手段のうち少なくとも一つの記録再生手段とを前記デジタル入力手段から入力された制御コマンドにしたがって前記入力切換手段により切り替えるステップと、
前記複数の記録再生手段のうちいずれか一つからの出力と前記複数のアナログ出力手段のうち少なくとも一つのアナログ出力手段とを前記デジタル入力手段から入力された前記制御コマンドにしたがって前記出力切換手段により切り替えるステップと、
を有することを特徴とするデータ処理方法。
【請求項４】
請求項３に記載のデータ処理方法において、
前記デジタル入力手段はＩＥＥＥ１３９４規格に準拠したデジタルシリアルデータインタフェースであり、前記制御コマンドはＡＶ／Ｃデジタルインターフェースコマンドセットジェネラルスペシフィケーション４．１で規定されたコマンドであることを特徴とするデータ処理方法。
【発明の詳細な説明】
【０００１】
【発明の属する技術分野】
本発明は、複数のアナログ信号入出力手段と記録再生手段を有するデジタル制御記録再生装置およびこの装置におけるデータ処理方法に関する。
【０００２】
【従来の技術】
パーソナルコンピュータやＡＶ機器を相互に接続するインターフェースとして、ＩＥＥＥ（Ｉｎｓｔｉｔｕｔｅ  Ｏｆ  Ｅｌｅｃｔｒｉｃａｌ  Ａｎｄ  Ｅｌｅｃｔｒｏｎｉｃｓ  Ｅｎｇｉｎｅｅｒｓ）１３９４規格に準拠したデジタルシリアルインタフエースが知られている（このＩＥＥＥ１３９４規格に準拠したデジタルシリアルインタフエース回路をＩＥＥＥ１３９４インターフェースと称する）。
【０００３】
近年、このデジタルデータインタフェースと、従来のアナログデータインタフェースを共に搭載するさまざまなデジタル制御記録再生装置、たとえばデジタルテレビジョン受像機、デジタル放送受信機、デジタルビデオカメラ、デジタルビデオカセットレコーダ、デジタルビデオディスクレコーダなどが普及し始めている。
【０００４】
また、デジタルインターフェースとしてＩＥＥＥ１３９４インターフェースを搭載すると共にアナログデータインタフェースを搭載するデジタル制御記録再生装置の中には、一つのデジタル制御記録再生装置内に複数の記録再生機器をもち、一つのＩＥＥＥ１３９４インターフェースを利用してそれらを別々に制御することが可能な機器の普及も見込まれる。
【０００５】
このようなデジタル制御記録再生装置においては、アナログ入力インターフェースの入力切り換え、およびアナログ出力インターフェースの出力切り換えをデジタル制御記録再生装置に搭載されているＩＥＥＥ１３９４インターフェースで接続された外部機器から制御することが可能である。
【０００６】
アナログ入力インターフェースやアナログ出力インターフェースからの入出力を切り換える方法としては、外部機器からデジタル制御記録再生装置に対して、ＡＶ／Ｃデジタルインターフェースコマンドセットジェネラルスペシフィケーション（Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ）４．１に規定されているコマンド（以下、ＡＶ／Ｃコマンドと略記する）を、ＩＥＥＥ１３９４インターフェースを介して送信する方法がある。
【０００７】
ここでＡＶ／Ｃコマンドとは、ＩＥＥＥ１３９４インターフェース上で通信されるコマンドであり、コマンドの送信、それに対応する応答は、ＩＥＥＥ１３９４の非同期ＷＲＩＴＥトランザクションに基づいて行われる。
【０００８】
従来、このＡＶ／Ｃコマンドのコネクト（ＣＯＮＮＥＣＴ）コマンドを用いて、外部機器からデジタル制御記録再生装置の入出力を切り換える方法は、コネクトコマンドのオペランドとして、デジタル制御記録再生装置の外部入力端子（Ｅｘｔｅｒｎａｌ  Ｉｎｐｕｔ  Ｐｌｕｇ）、外部出力端子（Ｅｘｔｅｒｎａｌ  Ｏｕｔｐｕｔ  Ｐｌｕｇ）を指定することで、入出力を切り換えている（たとえば特許文献１参照）。
【０００９】
【特許文献１】
特開２００１−３５９００７号公報
【００１０】
【発明が解決しようとする課題】
しかしながら、従来のデジタル制御記録再生装置では、一つの装置内に複数の記録再生機器を搭載している場合、いずれか一つの記録再生機器をデジタルで制御し、他の記録再生機器はアナログ的な利用を行うことしかできず、一つの装置内の複数の記録再生機器を同時にデジタル制御することはできていないという問題があった。
【００１１】
また、従来のデジタル制御記録再生装置は、装備されている入出力端子に複数の記録再生機器のどちらかでしか使えない端子があり、ユーザを混乱させる元となっていた。
【００１２】
本発明の目的は、一つの装置内に複数の記録再生機器を有する装置において、記録再生制御を物理的に配置されている外部入出力端子と同一にして、ユーザがインターフェースを物理的につなぐ際の概念と一致させ、デジタル制御記録再生装置に搭載されている複数の録画再生機器に対するアナログ入出力の制御をすべて外部機器から制御可能にしたデジタル制御記録再生装置と、この装置におけるデータの処理方法を提供することにある。
【００１３】
【課題を解決するための手段】
請求項１記載の発明は、上記課題を解決するため、外部からのアナログ信号を入力させる複数のアナログ入力手段と、外部からのデジタル信号を入力させるデジタル入力手段と、前記アナログ信号を外部へ出力する複数のアナログ出力手段と、前記アナログ信号を記録再生する複数の記録再生手段と、前記複数のアナログ入力手段のうちいずれか一つの前記アナログ入力手段と前記複数の記録再生手段のうち少なくとも一つの前記記録再生手段とを接続するように切り換える入力切換手段と、前記デジタル入力手段から入力された前記デジタル信号による制御コマンドにしたがって前記入力切換手段を制御する入力制御手段と、前記複数の記録再生手段のうちいずれか一つの前記記録再生手段と前記複数のアナログ出力手段のうち少なくとも一つの前記アナログ出力手段とを接続するように切り換える出力切換手段と、前記デジタル入力手段から入力された前記デジタル信号による前記制御コマンドにしたがって前記出力切換手段を制御する出力制御手段と、を有することを要旨とするデジタル制御記録再生装置である。
【００１４】
請求項２記載の発明は、請求項１に記載のデジタル制御記録再生装置において、前記デジタル入力手段はＩＥＥＥ１３９４規格に準拠したデジタルシリアルデータインタフェースであり、前記制御コマンドはＡＶ／Ｃデジタルインターフェースコマンドセットジェネラルスペシフィケーション４．１で規定されたコマンドであることを要旨とする。
【００１５】
請求項３記載の発明は、上記課題を解決するため、外部からのアナログ信号を入力させる複数のアナログ入力手段と、外部からのデジタル信号を入力させるデジタル入力手段と、前記アナログ信号を外部へ出力する複数のアナログ出力手段と、前記アナログ信号を記録再生する複数の記録再生手段と、前記複数のアナログ入力手段のうちいずれか一つの前記アナログ入力手段と前記複数の記録再生手段のうち少なくとも一つの前記記録再生手段とを接続するように切り換える入力切換手段と、前記複数の記録再生手段のうちいずれか一つの前記記録再生手段と前記複数のアナログ出力手段のうち少なくとも一つの前記アナログ出力手段とを接続するように切り換える出力切換手段とを備えたデジタル制御記録再生装置におけるデータ処理方法であって、前記複数のアナログ入力手段のうちいずれか一つのアナログ入力手段と前記複数の記録再生手段のうち少なくとも一つの記録再生手段とを前記デジタル入力手段から入力された制御コマンドにしたがって前記入力切換手段により切り替えるステップと、前記複数の記録再生手段のうちいずれか一つからの出力と前記複数のアナログ出力手段のうち少なくとも一つのアナログ出力手段とを前記デジタル入力手段から入力された前記制御コマンドにしたがって前記出力切換手段により切り替えるステップとを有することを要旨とするデータ処理方法である。
【００１６】
請求項４記載の発明は、請求項３記載のデータ処理方法において、前記デジタル入力手段はＩＥＥＥ１３９４規格に準拠したデジタルシリアルデータインタフェースであり、前記制御コマンドはＡＶ／Ｃデジタルインターフェースコマンドセットジェネラルスペシフィケーション４．１で規定されたコマンドであることを要旨とする。
【００１７】
【発明の実施の形態】
以下、図面を参照して本発明の実施の形態を説明する。
【００１８】
図２は、本発明に係わるデジタル制御記録再生装置を適用したＡＶシステムの概略構成を示すブロック図である。
【００１９】
このＡＶシステムは、入力機器としてＩＥＥＥ１３９４デジタルインターフェースとアナログインターフェースの両インターフェースを搭載したデジタル制御記録再生装置１、デジタル制御記録再生装置１の制御およびデジタル制御記録再生装置１からのＡＶ情報を視聴する第１デジタルテレビジョン受像機３（図示第１ＤＴＶ）と、同じく第２デジタルテレビジョン受像機５（図示第２ＤＴＶ）から構成される。
【００２０】
デジタル制御記録再生装置１と、第１デジタルテレビジョン受像機３および第２デジタルテレビジョン受像機５はアナログインターフェース７とデジタルインターフェース９の両方で接続されている。
【００２１】
ここでアナログインターフェース７はＤ／コンポーネント信号とＳ／コンポジット信号を使用するためのインターフェースであり、デジタルインターフェース９はＩＥＥＥ１３９４デジタルインターフェースである。
【００２２】
デジタル制御記録再生装置１内には、ディスクレコーダープレイヤーサブユニット１１およびディスクレコーダープレイヤーサブユニット１３が搭載されている。
【００２３】
また、デジタル制御記録再生装置１には、アナログの出力系統が少なくとも２系統用意されており、第１デジタルテレビジョン受像機３および第２デジタルテレビジョン受像機５のように複数のＡＶ機器と接続可能である。
【００２４】
図１は、図２に示すデジタル制御記録再生装置とデジタルテレビジョン受像機の信号の流れを説明するためのブロック図である。
【００２５】
デジタル制御記録再生装置１は、第１デジタルテレビジョン受像機３（ここでは第１デジタルテレビジョン受像機３のみを示すが第２デジタルテレビジョン受像機５であっても同様である）とアナログインターフェース７とデジタルインターフェース９により接続されている。
【００２６】
第１デジタルテレビジョン受像機３のアナログ出力インターフェース３０１から出力された信号（Ｓ／コンポジット信号）は、デジタル制御記録再生装置１のアナログ入力インターフェース２１（図示Ｓ／コンポジット、以下同様）へ、アナログ入力インターフェース２１に取り付けられているアナログ入力端子（不図示）を介して入力される。
【００２７】
同様にデジタル制御記録再生装置１の他のアナログ入力インターフェース２３、２５、および２７についても、アナログ出力可能な機器からのアナログ出力信号（Ｓ／コンポジット信号）を入力として受け付けることが可能となっている。
【００２８】
そして、アナログ入力インターフェース２１で受け付けられたアナログ入力信号は、第１スイッチ３１によりディスクレコーダープレイヤーサブユニット１１に入力可能であり、また、第２スイッチ３３によりディスクレコーダープレイヤーサブユニット１３に入力可能である。
【００２９】
第１スイッチ３１および第２スイッチ３３は、第１デジタルテレビジョン受像機３のデジタル出力インターフェース３０３から出力された制御コマンドにより入力制御部４１によって制御され、ディスクレコーダープレイヤーサブユニット１１とディスクレコーダープレイヤーサブユニット１３のいずれか一方、または両方にアナログ入力インターフェース２１から入力された信号が供給される。
【００３０】
一方、ディスクレコーダープレイヤーサブユニット１１およびディスクレコーダープレイヤーサブユニット１３からの出力は、第３スイッチ３５により出力系統第１スイッチ４５または出力系統第２スイッチ４７に出力される。
【００３１】
出力系統第１スイッチ４５および出力系統第２スイッチ４７では、出力する端子に応じてＳ／コンポジット信号かＤ／コンポーネント信号かを判断して、第１アナログ出力インターフェース５１または第２アナログ出力インターフェース５３からアナログ出力端子（不図示）を介して外部機器に出力される。
【００３２】
これらの第３スイッチ３５、出力系統第１スイッチ４５、および出力系統第２スイッチ４７は、第１デジタルテレビジョン受像機３のデジタル出力インターフェース３０３から出力された制御コマンドにより出力制御部４３が制御する。
【００３３】
ＩＥＥＥ１３９４デジタルインターフェース２９へは、第１デジタルテレビジョン受像機３からの制御コマンドが入力されており、第１デジタルテレビジョン受像機３によって指示されたサブユニットに対してアナログ信号が入力される。また、第１デジタルテレビジョン受像機３からの制御コマンドによって指示されたサブユニットからの出力がアナログ出力インターフェースから出力される。
【００３４】
次に、上述した本実施の形態におけるデジタル制御記録再生装置１の動作を説明する。
【００３５】
まず、アナログ入力について説明する。
【００３６】
図３はデジタル制御記録再生装置におけるアナログ入力インターフェースからの入力の流れを説明するための概略図である。なお、図３においては、アナログ入力インターフェース２１および２３のみを示したが他のアナログ入力インターフェースについても同様である。
【００３７】
デジタル制御記録再生装置１のアナログ入力インターフェース２１からの入力は、第１スイッチ３１および第２スイッチ３３（図３においてはいずれも不図示）の動作によってさまざまな入力形態となる。
【００３８】
一つの入力形態は、一つのアナログ入力インターフェース２１からの入力信号が、デジタル制御記録再生装置１の中にある記録再生可能な制御単位すべてに供給される形態である。したがって、この入力形態では、図３（ａ）に示すように、ディスクレコーダープレイヤーサブユニット１１とディスクレコーダープレイヤーサブユニット１３の両方にアナログ入力インターフェース２１からの信号が供給される形態となる。
【００３９】
また、他の入力形態としては、１つのアナログ入力インターフェース２１からの入力がデジタル制御記録再生装置１の中にある記録再生可能な制御単位の一つに供給される形態である。したがって、この入力形態では、たとえば、図３（ｂ）に示すように、アナログ入力インターフェース２１からのアナログ信号がディスクレコーダープレイヤーサブユニット１１にのみ供給されるか、また、図３（ｃ）に示すように、アナログ入力インターフェース２１からのアナログ信号がディスクレコーダープレイヤーサブユニット１３にのみ供給される形態となる。
【００４０】
入力されたアナログ信号は、それぞれのサブユニット内で記録可能なデータとして扱われる。
【００４１】
次に、アナログ出力について説明する。
【００４２】
図４はデジタル制御記録再生装置におけるアナログ出力インターフェースからの出力の流れを説明するための概略ブロック図である。
【００４３】
デジタル制御記録再生装置１の第１および第２アナログ出力インターフェース５１および５３には、デジタル制御記録再生装置１内にある記録再生可能な制御単位であるディスクレコーダープレイヤーサブユニット１１とディスクレコーダープレイヤーサブユニット１３からの出力が第３スイッチ３５、出力系統第１スイッチ４５、および出力系統第２スイッチ４７（図４においてはいずれも不図示）の切り換えにより入力される。
【００４４】
一つの出力形態は、図４（ａ）に示すように、ディスクレコーダープレイヤーサブユニット１１からの出力が第１アナログ出力インターフェース５１へ入力され、ディスクレコーダープレイヤーサブユニット１３からの出力が第２アナログ出力インターフェース５３へ入力される形態である。
【００４５】
他の一つの出力形態は、図４（ｂ）に示すように、ディスクレコーダープレイヤーサブユニット１１からの出力が第２アナログ出力インターフェース５３へ入力され、ディスクレコーダープレイヤーサブユニット１３からの出力が第１アナログ出力インターフェース５１へ入力される形態である。
【００４６】
また、図示省略するが、たとえばディスクレコーダープレイヤーサブユニット１１からの出力が第１アナログ出力インターフェース５１と、第２アナログ出力インターフェース５３の両方へ入力される形態も可能である。
【００４７】
このように、第３スイッチ３５、出力系統第１スイッチ４５、および出力系統第２スイッチ４７の動作によって、どちらのサブユニットからの出力も２つのアナログ出力インターフェース５２、５３に出力可能である。
【００４８】
次にデジタル制御記録再生装置１のアナログ入出力切り換え手順について説明する。
【００４９】
図５はデジタル制御記録再生装置のアナログ入出力切り換え手順を示すフローチヤートである。
【００５０】
まず、デジタル制御記録再生装置１のアナログ入力インターフェース２１は、アナログ入力端子に信号入力があるかを確認する（Ｓ１）。
【００５１】
ここで信号入力がある場合（Ｓ１：Ｙｅｓ）、その信号入力がデジタル制御記録再生装置１の中にある制御可能単位（ここではディスクレコーダープレイヤーサブユニット１１およびディスクレコーダープレイヤーサブユニット１３）の複数に対する入力であるか否かを確認する（Ｓ２）。この確認は、ＩＥＥＥ１３９４デジタルインターフェース２９からの制御コマンドによる指示が複数のサブユニットへの入力を指示しているか否かによって入力制御部４１が確認する。なお、ステップＳ１においてアナログ入力端子への信号入力がない場合は（Ｓ１：Ｎｏ）、そのままステップＳ５へ進む。
【００５２】
このステップＳ２において、信号入力が複数のサブユニットへの入力であると判断した場合（Ｓ２：Ｙｅｓ）、入力元の外部入力端子とそれぞれのサブユニットの受信端子（Ｄｅｓｔｉｎａｔｉｏｎ  Ｐｌｕｇ）をつなぐために、サブユニットにおいて論理的に一つである外部入力端子を複数あるものとして扱い、それぞれを接続する（Ｓ３）。すなわち、図３（ａ）に示したように、複数のサブユニットに対して一つのアナログ入力インターフェース２１からの入力信号が供給されることになる。
【００５３】
一方、ステップＳ２において、信号入力が複数のサブユニットへの入力ではないと判断した場合（Ｓ２：Ｎｏ）、制御コマンドによって指定されているサブユニットに対して、入力元の外部入力端子とこのサブユニットの受信端子を接続する（Ｓ４）。すなわち、図３（ｂ）に示したように、一つのサブユニットに対して一つのアナログ入力インターフェース２１からの入力信号が供給されることになる。
【００５４】
次に、デジタル制御記録再生装置１は、アナログ出力インターフェースからのアナログ出力があるかを確認する（Ｓ５）。
【００５５】
アナログ出力がある場合（Ｓ５：Ｙｅｓ）、さらにその出力がデジタル制御記録再生装置１の中にある複数のサブユニットからの出力であるかを確認する（Ｓ６）。なお、ステップＳ５においてアナログ出力がない場合は（Ｓ５：Ｎｏ）、そのまま処理終了となる。
【００５６】
ステップＳ６において、出力が複数のサブユニットからの出力であると判断した場合（Ｓ６：Ｙｅｓ）、続いてそれらの出力先として装置内における同じアナログ出力インターフェースが指定されているか否かを確認する（Ｓ７）。この確認は、ＩＥＥＥ１３９４デジタルインターフェース２９からの制御コマンドが同じアナログ出力インターフェースを指定しているか否かによって出力制御部４３が確認する。
【００５７】
ここで出力先が重複している場合（Ｓ７：Ｙｅｓ）、それらの出力のうち、優先度の高いものから出力させる（または、ＩＥＥＥ１３９４を通じて制御コマンドを送ってきたデジタルテレビジョン受像機に対して別のアナログ出力インターフェース（実際には別の出力端子に接続されているデジタルテレビジョン受像機など）を指定するように促してもよい）。
【００５８】
一方、出力先が重複していない場合は（Ｓ７：Ｎｏ）、それらの出力をそれぞれのアナログ出力インターフェースから出力させる（Ｓ９）。
【００５９】
なお、ステップＳ６において、アナログ出力が複数ではない場合は（Ｓ６：Ｎｏ）、指定されたアナログ出力インターフェースから出力させる（Ｓ１０）。
【００６０】
続いて、それぞれのアナログ出力インターフェースは、Ｄ／コンポーネント端子からの出力かＳ／コンポジット端子からの出力かを判断する（Ｓ１１）。
【００６１】
出力がＤ／コンポーネント端子からの場合は（Ｓ１１：Ｙｅｓ）、Ｄ／コンポーネント端子から出力する。一方、出力がＳ／コンポジット端子からの場合は（Ｓ１１：Ｎｏ）、Ｓ／コンポジット端子から出力する。
【００６２】
以上によりすべての入出力処理が終了するが、この一連の処理は繰り返し処理であるため、再びステップＳ１からの処理が繰り返して実行されることになる。
【００６３】
以上本実施の形態では、複数のデジタル制御記録再生可能なサブユニットをもつデジタル制御記録再生装置１において、アナログインターフェースの入出力をＩＥＥＥ１３９４デジタルインターフェース２９からの制御コマンドにより制御でき、サブユニットの数に関わらず装置内の複数のデジタル制御記録再生可能なサブユニットがすべてのアナログインターフェースを利用できるようになる。しかも、これにより他の機器との物理的な接続概念をデジタル制御する外部機器からの制御概念と同一化することが可能となる。
【００６４】
以上本発明を適用した実施の形態を説明したが、本発明はこのような実施の形態限定されるものではない。たとえば、上述した実施の形態では、記録再生手段として、ディスクレコーダープレイヤーサブユニットのみを示したが、当然にこれら以外の記録再生機器が搭載されていてもよく、これら以外の記録再生機器には、たとえば、テープレコーダープレイヤーサブユニットなどがあげられる。搭載される記録再生手段についても２つ以上であってもよい。
【００６５】
また、上述した実施の形態においては、デジタル制御記録再生装置へアナログ信号を供給するデータ供給装置と、デジタル制御記録再生装置から出力されたアナログ信号を視聴する視聴装置はともにデジタルテレビジョン受像器であったが、この他に、データ供給装置としては、チューナを備えたセットトップボックスや、他の記録再生装置などであってもよいし、また、視聴装置としては他の録画再生装置屋テレビモニターなどであってもよい。
【００６６】
【発明の効果】
以上説明したように、本発明によれば、複数のデジタル制御記録再生可能なサブユニットをもつデジタル制御記録再生装置のアナログインターフェースの入出力をデジタルインターフェースからのコマンドにより制御することとしたので、サブユニットの数に関わらずすべてのアナログインターフェースを利用することができ、しかも他の機器との物理接続概念をデジタル制御する外部機器からの制御概念と同一化することが可能となる。
【図面の簡単な説明】
【図１】図２に示すデジタル制御記録再生装置とデジタルテレビジョン受像機の信号の流れを説明するためのブロック図である。
【図２】本発明に係わるデジタル制御記録再生装置を適用したＡＶシステムの概略構成を示すブロック図である。
【図３】デジタル制御記録再生装置におけるアナログ入力インターフェースからの入力の流れを説明するための概略図である。
【図４】デジタル制御記録再生装置におけるアナログ出力インターフェースからの出力の流れを説明するための概略ブロック図である。
【図５】デジタル制御記録再生装置のアナログ入出力切り換え手順を示すフローチヤートである。
【符号の説明】
１  デジタル制御記録再生装置
３  第１デジタルテレビジョン受像機
５  第２デジタルテレビジョン受像機
１１  ディスクレコーダープレイヤーサブユニット
１３  ディスクレコーダープレイヤーサブユニット
２１  アナログ入力インターフェース
２９  ＩＥＥＥ１３９４デジタルインターフェース
３１  第１スイッチ
３３  第２スイッチ
３５  第３スイッチ
４１  入力制御部
４３  出力制御部
４５  出力系統第１スイッチ
４７  出力系統第２スイッチ
５１  第１アナログ出力インターフェース
５３  第２アナログ出力インターフェース
【図１】
2004220681.tif 000003
【図２】
2004220681.tif 000004
【図３】
2004220681.tif 000005
【図４】
2004220681.tif 000006
【図５】
2004220681.tif 000007